(57)【要約】      （修正有）【課題】アスファルトやコンクリートその他表面層や路面・舗道において、完全に又はストリップの形で平削りし溝を刻むミリングマシンを提供する。【解決手段】ミリングマシン１００は、相互に平行なトランスバースレール１３ａ〜１３ｆの一つにおいて少なくとも一つの並進運動１５ａ〜１５ｆで移動可能及び制御可能である、最低限二つの可動ミリングヘッド１a〜１fが、下側に設置されている。【選択図】図２
2020023878.tif 000002
【特許請求の範囲】
【請求項１】
ミリングマシン幅（FMB1, FMB2）を有するミリングマシン（１００、１００a〜１００e）であって、ミリングマシンの下側（１１、１１a）に平行のトランスバースレール（１３a〜１３l）が配置され、このトランスバースレールにキャリアスライド（１４a〜１４r）が配置され、このキャリアスライドは、ミリングマシン幅（FMB1, FMB2）を超えて作業の幅（AB１〜AB３）まで少なくとも一方の側に並進の変位駆動方向（１５ａ〜１５ｌ）に伸縮変位可能かつ制御可能であり、ミリングヘッド（１a〜１t）がキャリアスライド（１４a〜１４r）に配置されているミリングマシンにおいて、
キャリアスライド（１４a〜１４r）が個々のトランスバースレール（１３a〜１３l）にそれぞれ伸縮変位可能に配置され、個々のキャリアスライド（１４a〜１４r）におけるそれぞれのミリングヘッド（１a〜１t）が、キャリアスライド（１４a〜１４r）の並進の変位駆動方向に等しい、ミリングヘッド（１a〜１t）の変位（１７，１７ａ〜１７ｃ）の第２の方向に、変位可能かつ制御可能に配置されていることを特徴とするミリングマシン。
【請求項２】
前記キャリアスライド（１４a〜１４r）が、ミリングマシン幅（FMB1, FMB2）を超えて作業の幅（AB１〜AB３）まで両側に並進の変位駆動方向（１５ａ〜１５ｌ）に変位可能かつ制御可能であることを特徴とする請求項１に記載のミリングマシン。
【請求項３】
平行のトランスバースレール（１３a〜１３f）がミリングマシン（１００）の進行方向（FD）に対して斜めにW角度で設置されて、ミリングヘッド（１a〜１f）によるフォワードフィード駆動（VB１）がキャリアスライド（１４a〜１４f）でのミリングヘッド（１a〜１f）の変位駆動（１７）とトランスバースレール（１３a〜１３f）でのキャリアスライド（１４a〜１４f）の並進の変位駆動方向（１５a〜１５f）をまとめたものであることを特徴とする請求項１又は２に記載のミリングマシン。
【請求項４】
平行のトランスバースレール（１３g〜１３l）がミリングマシン（１００a、１００d）の進行方向（FD）に対して縦に ９０度の角度W１で設置されて、ミリングヘッド（１g〜１l）によるフォワードフィード駆動（VB２）がキャリアスライド（１４g〜１４l）でのミリングヘッド（１g〜１l）の変位駆動（１７a）とトランスバースレール（１３g〜１３l）でのキャリアスライド（１４g〜１４l）の並進運動（１５g〜１５l）と進行方向（FD）へのミリングマシン（１００a〜１００ｅ）のクロールスピード（KG）をまとめたものであることを特徴とする請求項１又は２に記載のミリングマシン。
【請求項５】
支持脚（１２、１２a〜１２c）または支持輪（１８a〜１８d）を含む安定化・水平調整装置（４００、４００a）が取り付けられていることを特徴とする請求項１〜４のいずれか１項に記載のミリングマシン。
【請求項６】
ミリングマシン（１００、１００a〜１００e）のサスペンションとショックアブソーバをかたくする目的の、車台・走行装置用安定化装置が取り付けられていることを特徴とする請求項１〜５のいずれか１項に記載のミリングマシン。
【請求項７】
ミリングヘッド（１a〜１t）がインフィード駆動（ZB、ZB１）によってZ型方向での可動性を持ち、２．５％が理想で０．５〜５％の傾きによってミリングストリップ（５６a〜５６f）をおこすことを特徴とする請求項１〜６のいずれか一項に記載のミリングマシン。
【請求項８】
冷却・潤滑ユニット（２００）と掃除・吸引ユニット（３００）が取り付けられていることを特徴とする請求項１〜７のいずれか一項に記載のミリングマシン。
【請求項９】
ドライブ回転（AR、AR１）、ミリング回転（FR、FR1）およびフォワードフィード駆動（VB１〜VB４）が電気モーターによっておこされることを特徴とする請求項１〜８のいずれか１項に記載のミリングマシン。
【請求項１０】
ドライブ回転（AR、AR１）、ミリング回転（FR、FR1）およびフォワードフィード駆動（VB１〜VB４）が油圧ポンプモーターによっておこされることを特徴とする請求項１〜９のいずれか１項に記載のミリングマシン。
【請求項１１】
ドライブ回転（AR、AR１）、ミリング回転（FR、FR1）およびフォワードフィード駆動（VB１〜VB４）がラックとピニオンギア（７００）またはスピンドルドライブを含む機械的ドライブ（６００、６００a）によっておこされることを特徴とする請求項１〜１０のいずれか１項に記載のミリングマシン。
【請求項１２】
ドライブ回転（AR、AR１）、ミリング回転（FR、FR1）およびフォワードフィード駆動（VB１〜VB４）が車輪ハブモーターによっておこされることを特徴とする請求項１〜１１のいずれか１項に記載のミリングマシン。
【請求項１３】
ミリングヘッド（１a〜１t）がウォータージェットノズル又はサンドジェットノズルを具備することを特徴とする請求項１〜１２のいずれか１項に記載のミリングマシン。
【請求項１４】
ミリングヘッド（１a〜１t）のインフィード駆動（ZB、ZB１）とミリングヘッド（１a〜１t）のフォワードフィード駆動（VB１〜VB４）が位置センサーと回転監視システム（８００）によって監視されることを特徴とする請求項１〜１３のいずれか１項に記載のミリングマシン。
【請求項１５】
車線の中心（FStM）、以前ミリングされたミリングストリップ（５６a〜５６f）の端（５７a〜５７c）、車線の横断勾配（QN）と道路（FB）沿いの凹み（S）を指摘するオプトエレクトロニック記録システム（５００、５００a）が取り付けられていることを特徴とする請求項１〜１４のいずれか１項に記載のミリングマシン。
【請求項１６】
請求項１４に従ってミリングマシン（１００）を利用する方法であって、a）-  事前に特定された作業現場（EO、EO1）にミリングマシン（１００）を移動させるステップと、
b）-   作業現場（EO、EO1）が事前に指摘されなければ、移動中、光磁気記録システム（５００、５００a）により作業現場（EO、EO1）を記録し、測定するステップと、
c）-  道路（FB）の横断勾配（QN）を記録し測定するステップと、
d）-  車線（FStM）や車線区分線（FBM１〜FBM３）の中心を記録し、測定するステップと、
e）-  区分線（FBM１、FBM２）に対して平行に第一車線（FSt１）の中心になるようにミリングマシン（１００）の位置を調整するステップと、
f）-  路面（FBD）に支持脚（１２、１２a〜１２c）を伸ばすステップと、
g）-  安定化・水平調整装置（４００，４００a）を利用し、ミリングマシン（１００）の固定化・水平調整を行うステップと、
h）-  ミリングヘッド（１a〜１f）を第一車線（FSt１）の第一区分線（FBM）にあわせてミリングヘッド（１a〜１f）とキャリアスライド（１４a〜１４f）を伸ばすステップと、
i）-  冷却・潤滑ユニット（２００）をオンにするステップと、
j）-  掃除・吸引ユニット（３００）をオンにするステップと、
k）-  Z型のミリング規模を設定し路面（FBD）にミリングヘッド（１a〜１f）をつかせるステップと、
l）-  フォワードフィード駆動（VB１）をおこすステップと、
m）-  第一車線（FSt１）の第二区分線（FBM２）までストリップ（５６a〜５６f）のミリングを行うステップと、
n）-  Z型方向へミリングヘッド（１a〜１f）を後ろに移動させるステップと、
o）-  冷却・潤滑ユニット（２００）をオフにするステップと、
p）-  掃除・吸引ユニット（３００）をオフにするステップと、
q）-  ミリングヘッド（１a〜１f）とキャリアスライド（１４a〜１４f）を引っ込めるステップと、
r）-  支持脚（１２、１２a〜１２c）を引っ込めるステップと、
s）-  第一車線（FSt１）の隣接の第二車線（FSt２）にミリングマシン（１００）を移動させるステップと、
t）-  第一車線（FSt１）と第二車線（FSt２）の接続点においてミリングストリップの端（５７a〜５７c）を記録し測定するステップと、
u）-  第二車線（FSt２）においてミリングマシン（１００）の位置を調整するステップと、
v）-  必要に応じd）〜s）のステップを繰り返すステップとを有することを特徴とする方法。
【請求項１７】
請求項１４に従ってミリングマシン（１００）を利用する方法であって、
a´）-  事前に特定された作業現場（EO、EO1）にミリングマシン（１００a〜１００e）を移動させるステップと、
b´）-   作業現場（EO、EO1）が事前に指摘されなければ、移動中、光磁気記録システム（５００、５００a）によりう作業現場（EO、EO1）を記録し、測定するステップと、
c´）-  道路（FB）の横断勾配（QN）を記録し、測定するステップと、
d´）-  車線（FStM）や車線区分線（FBM１〜FBM３）の中心を記録し、測定するステップと、
e´）-  区分線（FBM１、FBM２）に対して平行に第一車線（FSt１）の中心になるようにミリングマシン（１００a〜１００e）の位置を調整するステップと、
f´）-  路面（FBD）に支持輪（１８a〜１８d）を伸ばす、又は車台・走行装置と作動位置用安定化装置をオンにするステップと、
g´）-  安定化・水平調整装置（４００，４００a）を利用し、ミリングマシン（１００a〜１００e）の固定化・水平調整を行うステップと、
h´）-  ミリングヘッド（１g〜１t）を第一車線（FSt１）の第一区分線（FBM１）にあわせてミリングヘッド（１g〜１t）とキャリアスライド（１４g〜１４r）を伸ばすステップと、
i´）-  冷却・潤滑ユニット（２００）をオンにするステップと、
j´）-  掃除・吸引ユニット（３００）をオンにするステップと、
k´）-  Z型のミリング規模を設定し、路面（FBD）にミリングヘッド（１g〜１t）をつかせるステップと、
l´）-  並進運動（TB）と同時にクロールスピード（KG）をおこすステップと、
m´）-  第一車線（FSt１）の第二区分線（FBM２）までストリップ（５６a〜５６f）のミリングを行うステップと、
n´）-  Z型方向へミリングヘッド（１g〜１t）を後ろに移動させるステップと、
o´）-  冷却・潤滑ユニット（２００）をオフにするステップと、
p´）-  掃除・吸引ユニット（３００）をオフにするステップと、
q´）-  ミリングヘッド（１g〜１t）とキャリアスライド（１４g〜１４r）を引っ込めるステップと、
r´）-  支持輪（１８a〜１８d）を引っ込める、又は車台・走行装置と作動位置用安定化装置をオフにするステップと、
s´）-  第一車線（FSt１）の隣接の第二車線（FSt２）にミリングマシン（１００a〜１００e）を移動させるステップと、
t´）-  第一車線（FSt１）と第二車線（FSt２）の接続点においてミリングストリップの端（５７a〜５７c）を記録し、測定するステップと、
u´）-  第二車線（FSt２）においてミリングマシン（１００a〜１００e）の位置を調整するステップと、
v´）-  必要に応じd´）〜s´）のステップを繰り返すステップとを有することを特徴とする方法。 
【発明の詳細な説明】
【技術分野】
【０００１】
本発明は、 アスファルトやコンクリートその他表面層や路面・舗道において、完全に又はストリップの形で平削りし溝を刻むミリングマシンを対象としています。例として、高速道路、一般道路、その他自動車路線、飛行機用誘導路、 離陸・着陸用滑走路又は工業用地、その他の幅広い面積や表面での利用は可能です。
【０００２】
さらに、本発明はミリング形式として、「精密ミリング」を使用しています。つまり、アスファルト層を全体的に取り替える必要はなく、上面を削るだけで作業の終了後間もなく運行が可能となるのです。本稿で紹介される発明について、縦型精密ミリングマシン、即ち縦のミリングチゼルディスクが設置されているもの、およびミリングドラム付き精密ミリングマシン、２種類として設計が可能です。それに加わり、本ミリングマシンは冷却ミリング方式又は加熱ミリング方式のどちらでも利用できます。但し、後者の場合利用される工具の損耗度がより低いのに、エネルギー収支の観点から考察すると環境に良いか否かの疑問があります。
【背景技術】
【０００３】
上面・上層を平削りする又それに溝を刻む作業は、例えば経線の溝や轍又は下り坂でのブレーキのため路面に発生した反りを修正する目的でも行われることが可能です。
【０００４】
しかしながら、現在一般的に以上の作業は平面を作る・作り直す目的および表面水の吸収、排水、乾燥をよくするため表面の粗テクスチャを改良する目的で行われています。アクアプレーニングや氷結などの危険因子を考慮すると、道路表面に発生したボウル型凹み又は路面沿い広範囲に続く凹みは水が溜まりやすく高速道路や一般道路の質や安全に大きな影響を及ぼしています。さらに、路面の有用性を考えると、水が穴に浸透し凍結し拡大しその状況が発生する頻度や定期性につながってきます。
【０００５】
また、高速道路の接続点は排水ゾーンと全く同じようにセキュリティ上重要な場所です。高速道路の接続点というのは、義務上建設者に故意に設計された横断勾配・傾きの路面が逆の横断勾配に変わるエリアを意味しています。接続点は現在、ドレスデン工科大学付属車両交通道路設計研究所の博士教授Christian Lippold氏による研究の課題となっています。道路建設において規定されている最低横断勾配は２.５％で、片面の傾きか屋根形状傾きの形をとっています。
【０００６】
さらに、車線区分線が厚すぎる場合も、排水の流れが妨げられる可能性があり、セキュリティ上問題が起こしやすい点があります。
【０００７】
２０１２年１月１９日に発表されたDE 10 2010 027 328 A1では、ドイツ国ライン市所在の有限責任会社Roekens出願者は「フルードミリングマシン」、つまり高圧水ミリングマシン又はコンクリートを粗くするサンドブラスト機械を利用しました。このために、固定されたノズルペアが自己駆動式車両あるいは遠隔操作式車両の下側に設置されました。これらは溝を起こさずコンクリート路面を均一粗くする働きをしています。以上紹介されたミリング機械はコンクリート用のみであり、路面の場合すべての凸凹や反りが残ってしまう弱点があります。路面の上層にあるリッジやディップは同等な角度でミリングされ、例えばリッジをディップのレベルに合わせて削ることが不可能です。要するに、紹介されたミリング機械の役立つところは新たにかけられた平コンクリート路面を粗くする作業に限られています。
【０００８】
もう一つの使用は進行方向の斜めに多数のストリップや溝を平行に削ることです。このようなミリングストリップ・溝は、２０００年６月２９日にチェコ共和国ブルノ市所在の有限責任会社Blastrak-Morava出願者により登録されたジャーマン・ユティリティ・モデル DE 299 22 773 U1で紹介されています。溝において深度は１〜１０ミリ、幅は５〜３００ミリ、間隔は１０〜２００ミリの指定で行うとなっています。
【０００９】
同じようなミリングストリップ・溝はスロベニア国リュブリャナ市所在の有限責任会社Asfalteks出願者により２０１０年１月２１日に発表されたWO 2010/008351 A1で紹介されています。このような進行方向の斜めに平行に作られたミリングストリップは特にスロベニアやクロアチアの高速道路の一部や問題点のある路面あたり観察できます。これらは研究や統計的調査の結果によると、特にアクアプレーニングや黒氷が生じやすい場所で高速道路における交通安全の上昇につながると明確になっています。ストリップの深度は約５ミリで、運転中ほとんど聞こえにくくて見えにくいものです。
【００１０】
ただし、進行方向の斜めに並ぶ平行なミリングストリップを作り出すのはストリップ毎に単一機のミリングマシンを使用することを必要とします。このために、単一機のミリングマシンはすでに削られたストリップと平行に作業員に操作される必要がありますが、それは労働集約的で長時間がかかるものです。以上の単一機ミリングマシンのもう一つの弱点は、ミリングストリップを作るべきな特定のスポットを発見する計測システムを有しないところです。つまり現状は、作業すべきな場所を選択する際事故防止対策に基づく手段はなく、すでに発生した事故の統計によって場所を指定する状況は普段なのです。
【００１１】
ところが、ドイツ国Wangen所在の有限責任会社Schwamborn Geratebauは、OMF 250、 BEF 320VX、BEF 320EXなどのミリンクマシンモデルを製造しています。全ては作業員に操作されるもので、一つのミリングヘッドを使用し単独のストリップのミリングを行います。このようなミリングマシンの弱点は、労働時間のコストが高いだけではなく、少しずつしか結果を出さない短所もあります。さらに、その精度は大体操作員の判断によるものです。
【発明の概要】
【発明が解決しようとする課題】
【００１２】
そこで本発明の狙いは、以上紹介された使用を全部カバーできる汎用のミリングマシンです。さらに、コストの短縮そして機能や利用の面での最適化を達成しながら以上指摘された弱点を克服できるミリングマシンを目的とします。
【課題を解決するための手段】
【００１３】
まず今回考えられた開発による答えは、ミリングマシンの下側に設置される最低限二つの、個別に制御できる可動ミリングヘッドというものです。
【００１４】
本発明によるミリングマシンはなるべく自己駆動式ですが、作業員による操作が行われるように継ぎ手もつけられるものです。
【００１５】
そこで優先すべきと考えられているオプションは自己駆動式モデルで、なるべく製造中のトラックと似たような設計で、調整できるクロールスピードを有し統一のフォワードフィードレートに設定できるものです。クロールスピードは、例えば斜めに溝を刻む際一定のミリングフォワードフィードレートを保つ機能を果たすだけではなく、同時にミリングヘッドの操作から発生する駆動トルクに対してブレーキの機能も果たすのです。クロールスピードは、なるべくミリングマシンの減衰レベルを含む標準ギアボックスから出され、できるだけミリングマシンのすべての輪を動かせます。それに加わり、この減衰ギアレベルは逆方向にも利用できると望まれています。
【００１６】
さらなる開発として本発明によるもう一つの優先すべき提案は、「大型車」という車種の範囲に入らないミリングマシンです。さらに、このようなマシンは建設現場の間、独自にトラックの標準スピードで運転できるものです。そのために、ミリングヘッドをトランスバースレールに並ぶキャリアスライドに設置すると最適です。キャリアスライドも個別に制御・拡張できるもので、ミリングマシンや車両の幅より広く伸びるものです。こういった場合、キャリアスライドの位置は大きくトランスバースレールによります。つまり、例として、（欧州連合の第96/53/EG号規定に沿っている）トラックの最大幅２．５５メートルと車線の最大幅３．７５メートルと言った状況では、それぞれのキャリアスライドがミリングマシンの両側において少なくとも０．６メートル伸縮する設計が考えられます。そこで本発明を実現させると、 特別許可が必要とせず建設現場の間ミリングマシンの運転が可能になる一方、車線の幅を全部同時にミリングするのに成功するようになります。
【００１７】
本発明によるミリングマシンのもう一つの可能な実施態様は、クロールスピードを必要としない、より簡単な機械です。しかし、これは指定された一つのみの角度でのミリング作業に限られているのです。この実施態様の場合、トランスバースレールは進行方向に対してちょうど縦向か横向ではなく、斜めに例えば４５度に並ぶ形になります。それで斜めに平行なストリップをミリングする場合、ミリングマシンはブレーキをかけたまま静止位置をとり、ミリングヘッドは斜めのレール沿いに操作します。
【００１８】
後者として紹介された本発明によるミリングマシンで斜めのレールを設計した実施態様は、（静止位置が優先される場合）なるべく油圧式か単なる機械的支持脚を使用することで路面にしっかりと固定できます。希望により、マシンの位置を固定する機能は支持脚を伸ばすための距離センサー付き水平調整装置を含むことができます。それに加わり、水平調整装置はミリングマシンの横並びを調整するセンサーやディテクターがついています。それでミリングマシンの静止位置を道路の横断勾配にきちんと沿わせる一方、ミリングマシンが移動・停止している道路の横断勾配を測ることも可能となります。そこで測定の結果をもとに道路において適切な横断勾配が確認された場合は、均一な深度のミリングストリップ・溝が十分である判断につながります。逆に、測定された道路は水に置かれている、つまりちょうど水平であると明確になると、深度の調整を可能とするミリングヘッドを使用しながらなるべくZ文字の方向でミリングストリップ・溝をつくる作業はすすめられてきます。ストリップ・溝の深度を徐々に深くするべきで、横断勾配において０．５〜５％のもの、できるだけ２．５％のものが出来上がると最適です。
【００１９】
そして本発明によるミリングマシンで進行方向に対して縦に置かれたトランスバースレールの実施態様は、支持輪を含む安定化装置をつけるのが望ましいと考えられます。支持輪も路面においてなるべく油圧式装置か機械による拡張が可能なもので、操作中路面を走ることができます。希望として最低限に４つの支持輪を含む安定化装置は以上紹介された水平調整装置と一緒に使用するとより効率的です。
【００２０】
オプションとして紹介されてきた開発点の実現を取り入れると、本発明によるミリングマシンにおいて、車台、走行装置、つまりサスペンションやショックアブソーバーそして可能性として安定装置は左右揺れのない安定した動作位置に置かれるようになります。さらに、ミリング経過中一時的にタイヤの空気圧をあげることも考えられます。これらの手段、又は支持脚か支持輪の使用、それから上記のオプションの組み合わせを利用することで操作中のミリングマシンの左右揺れなどが最低限に低くミリングストリップ・溝が可能な限り正確に出来上がる達成を確保できます。
【００２１】
本発明が目的とするミリングマシンにおいて、おすすめのトラック型デザインは水用または生分解性冷却滑剤用のタンクおよび冷却・潤滑装置、そして回収容器にミリング廃材を収容するためのサクション装置がついています。
【００２２】
それぞれのミリングヘッドには少なくとも一つのスプレーノズルと一つのサクションノズルをつけ、なるべく位置としてスプレーノズルはミリング経過方向に沿いミリングヘッドの前、そしてサクションノズルは後ろといった設計がすすめられます。さらに、ミリングヘッドを防護スクリーンで囲むことも考えられます。
【００２３】
コストの最適化を考慮しながら本発明が目的とするミリングマシンにつけるサクション装置は、なるべくミリングマシンの下側に横断して設置された単品の吸引チャネルを含んでいます。これはキャリアスライドを通じてミリングマシンの拡張された幅と同く伸縮することが可能です。それに加わり、吸引チャネルに一つか多数の回転ブラシをつけることが可能です。
【００２４】
本発明の設計に応じ各ミリングヘッドの個別駆動は独自の電気モーターあるいはサーボモーターを通じて行われます。このためにミリングヘッドの回転駆動に対しては一つの電気モーターあるいはサーボモーターを設置しますが、フォワードフィード駆動に対してはもう一つのモーターを設置することが可能です。本発明によるミリングマシンで進行方向に対して縦に置かれたトランスバースレールの実施態様の場合、フォワードフィード駆動はレール駆動方向とミリングマシンの駆動方向のベクトル和から発生します。そして本発明によるミリングマシンで斜めのレールを設計した実施態様の場合、ミリングヘッドのフォワードフィード駆動はレール駆動方向と一致します。
【００２５】
さらに、本発明の設計に応じ各ミリングヘッドの個別駆動は油圧ポンプモーターによって発生することが可能です。
【００２６】
しかし、本発明によるミリングマシンを完全に機械的実施態様で実現すると、選択的に二つのカルダン継手を使用し、なるべくミリングヘッド上の間隔に主駆動軸を設置することが必要となってきます。
【００２７】
主駆動軸は規則としてミリングマシンの縦に装備され、そこから、例えばベベルディファレンシャルギアを使用して独自のミリングドライブに対して一つずつの補機シャフトドライブが９０度の角度で分岐します。それに加わり、主駆動軸は規則としてミリングマシンの中心部に設置されているので、主駆動軸の両側において９０度の角度で左右対称的に分岐する二つの補機シャフトドライブがあると理想的です。ところが、この場合は、それぞれの補機シャフトドライブの回転方向を同時にするか他の手本の（exemplary）ディファレンシャルギアを使ってその回転を揃わせる必要があります。さらに可能性として、それぞれの補機シャフトドライブのエンドポイントに平歯車を装備し、それはミリングマシンの全体幅で継続的に操作するミリングドライブシャフトを動かします。以上のミリングドライブシャフトには、さらにベベルギアとミリングヘッドがついているドライブハウジングが設置されます。したがって、適切な回転スピードを確保しある方向への主駆動軸の回転は、適切な方向へ適切な回転スピードでミリングヘッドを回転させる効果を果たしています。
【００２８】
トランスバースレールかキャリアスライドに置いてあるミリングヘッドの必要なフォワードフィード駆動は（ミリングドライブシャフトの操作と同じく）サーボモーターによって実現されます。ところが、ミリングドライブシャフトと平行に並び、ラック歯車を動かす平歯車付きのラックとピニオンドライブを代わりに使用できます。もう一つの選択は、ラックとピニオンギアを使わずにネジ付きスピンドルにのせたウォーム歯車を使用することができます。
【００２９】
電気シングルドライブ又は油圧式シングルドライブにおいてさらなる開発としては、なるべくできるだけ簡単に交換できる車輪ハブモーターの設計も可能です。
【００３０】
もちろん、ミリングヘッドの回転駆動やフォワードフィード駆動を備える目的で三つの異なったドライブタイプを組み合わせることも考えられます。本発明のアプローチをもとに、それぞれのミリングヘッドによるフォワードフィード駆動はキャリアスライド内のミリングヘッドの並進運動とトランスバースレール内のキャリアスライドの並進運動から成り立つものです。そこで本発明によるミリングマシンで進行方向に対して縦に置かれたトランスバースレールの実施態様の場合では、なるべくクロールスピードでのミリングマシンの前後方向の移動は以上の駆動に加わってくるのです。
【００３１】
以上説明されたそれぞれのミリングヘッドのフォワードフィード駆動は、あるいは言い換えますとトランスバースレール内のキャリアスライドとキャリアスライド内のミリングヘッドの並進運動による併用効果は、この二つが正比例である限り、ミリングヘッドの回転駆動とあわせることができます。つまり、結果として高回転スピードが回転駆動で発生すればフォワードフィード駆動も早くなるのです。本発明によるミリングマシンの様々な実施態様で、電気シングルドライブのもの、シングル油圧式ドライブのもの、機械的シングルドライブのもの、それから以上のいずれの組み合わせの場合も同じ効果をもたらしています。ただし、 個別に制御可能なミリングヘッドによるフォワードフィード駆動において回転駆動と独立した状態が望ましく、そのために例えば個別のサーボモーターを扱うことができます。
【００３２】
特に本発明による機械的設計のミリングマシンそして可能性としてその他公開された実施態様には耐摩耗・メンテナンスフリーテフロンベアリング、ローラーベアリング又は深溝玉軸受を装備することができます。
【００３３】
本発明によるミリングマシンのミリングヘッドはアップカットミリングや同期ミリング両方の目的で設計されています。それから、ミリングヘッドは、両方のインフィードとフォワードフィード駆動がラジアルである条件が満たされればホッブ切削ヘッドの形態をとるのも可能です。又はホッブ切削ヘッドのサイズは必要とされるミリングストリップと同じ幅であり、交換可能なカッタがついている状態が望ましい。ところが、フェースミリングヘッドの使用も考えられます。この場合のインフィードはアキシャルですが、フォワードフィード駆動はラジアルです。フェースミリングヘッドはできるだけ交換可能な多数のカッタがついています。一つのカッタのみ付いている場合、単歯切削方法が適応されます。
【００３４】
原則として、ウォータージェットやサンドブラストノズルもミリングツールの中で挙げられます。
【００３５】
ミリングヘッドは一般的に交換可能なものであるといい。それで平行にミリングストリップを刻めるだけではなく平面を作ることも可能です。そのために、より広いミリングヘッドを使用しますが、フォワードフィード駆動に対して縦にミリングヘッドを、近くなるように選択的に調整する仕方もあります。 
【００３６】
それぞれのミリングヘッドのインフィードとフォワードフィード駆動はオプトエレクトロニック位置センサー、ガラス測定バー又はインクリメンタルかアブソリュート位置センサーのいずれ、磁気ストリップによる監視は適切です。さらに、以上述べられた監視装置は希望としてコンピューターにより記録・制御され、乗務員室で表示されます。選択として、このユニットには動軸やミリングヘッドの回転スピードを監視するセンサーも付けられます。それで 位置センサシステムと回転監視システムの組み合わせが実現されるのです。
【００３７】
本発明によるミリングマシンは、本発明の狙いに応じ、コンピューター支援による下記の４つの機能を果たすオプトエレクトロニック記録システムを含んでいます。１）隣接した路線においてすでに出来上がったミリングストリップを測定し記録し、その結果によりミリングヘッドを調整し引き続き新しいストリップを以前のものにつなげます；２）ミリングマシンが車線の中心に置かれ車線区分線に対し平行な位置になるように記録し測定し調整を行い、ミリングストリップにおいて適切な角度を確保します；３）車線の横断勾配を記録し測定し、路面において適切な位置やミリングストリップの方向を正確に指摘します；４）路面においての凸凹を記録し測定し、排水が妨げられる場所を確認します。
【００３８】
希望により、オプトエレクトロニック記録システムは少なくとも２種類の異なった記録手段、つまり現在センサーとして知られ取り扱われているものを含みます。これらはモノおよびステレオカメラとレーザースキャナの形をとります。そこで夜中記録された画像の有用性を上昇するために赤外線カメラの使用が考えられますが、光センサーとレーダーの組み合わせを優先的に検討すべきです。前記の組み合わせは夜中でも正確に記録を行い、気象の状態とは関係ありません。つまり、そこで光磁気記録システムが想像されています。
【００３９】
近接の距離を測定するのに超音波センサーの利用も考慮すべきです。
【００４０】
一つの選択肢として、制御コンピューターにGPSモジュールを組み込むことです。それにより、例えばコントロールセンターに送られた座標を正確に確認できるようになります。
【００４１】
さらに、ミリング、掃除、吸引排出後ミリングストリップに特定のスプレーノズルから修飾重合体カチオン性のビチューメン乳剤あるいは防水用シリコン樹脂の密閉剤スプレーを吹きかけるのはもう一つのオプションとなります。
【００４２】
以上公開された本発明によるミリングマシンの様々な実施態様は、基本機能の面で必要とされない機能を抜きに希望に応じて組み合わせることが可能です。例えば前記の実施態様においては、組み合わせとして紹介されたクロールスピード機能、伸縮式のキャリアスライド機能、又は安定化装置や水平調整装置が付けられます。 こういった形態はサーボモーター、油圧式ポンプモーター、車輪ハブモーター、ラックとピニオンギアあるいはスピンドルの単純な機械的機能モーターをどちらでも選択し装備して利用できます。さらに、以上発表されたすべての実施態様には、冷却・潤滑ユニット、吸引装置およびレーダー有無のオプトエレクトロニック記録システム付きのローラーミリングヘッドかフェースミリングヘッドを設置できます。
【００４３】
本稿で発表されている活用事例では、前記公開によるミリングマシンを利用し高速道路において同時に多数の平行なミリングストリップをおこす手順を下記の通り基盤とします。
a）-  事前に特定された作業現場にミリングマシンを移動させる；
b）-  作業現場が事前に指摘されなければ移動中光磁気記録システムを利用し可能な作業現場を記録し測定する；
c）-  道路の横断勾配を記録し測定する；
d）-  車線や区分線の中心を記録し測定する；
e）-  区分線に対して平行に第一車線の中心になるようにミリングマシンの位置を調整する；
f）-  路面に支持脚を伸ばす；
g）-  安定化・水平調整装置を利用しミリングマシンの固定化・水平調整を行う；
h）-  ミリングヘッドを第一車線の第一区分線にあわせてミリングヘッドとキャリアスライドを伸ばす；
i）-  冷却・潤滑ユニットをオンにする；
j）-  掃除・吸引ユニットをオンにする；
k）-  Z型のミリング規模を設定し路面にミリングヘッドをつかせる；
l）-  フォワードフィード駆動をおこす；
m）-  第一車線の第二区分線までストリップのミリングを行う；
n）-  Z型方向へミリングヘッドを後ろに移動させる；
o）-  冷却・潤滑ユニットをオフにする；
p）-  掃除・吸引ユニットをオフにする；
q）-  ミリングヘッドとキャリアスライドを引っ込める；
r）-  支持脚を引っ込める；
s）-  第一車線の隣接の車線にミリングマシンを移動させる；
t）-  第一車線と第二車線の接続点においてミリングストリップの端を記録し測定する；
u）-  第二車線においてミリングマシンの位置を調整する；
v）-  必要に応じd）〜s）の手順の段階を繰り返す。
【００４４】
本稿で発表されている活用事例では、前記公開によるミリングマシンを利用し高速道路において同時に多数の平行なミリングストリップを作成する手順としてもう一つ下記します。
a´）-  事前に特定された作業現場にミリングマシンを移動させる；
b´）-   作業現場が事前に指摘されなければ移動中光磁気記録システムを利用し可能な作業現場を記録し測定する；
c´）-  道路の横断勾配を記録し測定する；
d´）-  車線や区分線の中心を記録し測定する；
e´）-  区分線に対して平行に第一車線の中心になるようにミリングマシンの位置を調整する；
f´）-  路面に支持輪を伸ばす、又は車台・走行装置と作動位置用安定化装置オンにする；
g´）-  安定化・水平調整装置を利用しミリングマシンの固定化・水平調整を行う；
h´）-  ミリングヘッドを第一車線の第一区分線にあわせてミリングヘッドとキャリアスライドを伸ばす；
i´）-  冷却・潤滑ユニットをオンにする；
j´）-  掃除・吸引ユニットをオンにする；
k´）-  Z型のミリング規模を設定し路面にミリングヘッドをつかせる；
l´）-  並進運動と同時にクロールスピードをおこす；
m´）-  第一車線の第二区分線までストリップのミリングを行う；
n´）-  Z型方向へミリングヘッドを後ろに移動させる；
o´）-  冷却・潤滑ユニットをオフにする；
p´）-  掃除・吸引ユニットをオフにする；
q´）-  ミリングヘッドとキャリアスライドを引っ込める；
r´）-  支持輪を引っ込める、又は車台・走行装置と作動位置用安定化装置オフにする；
s´）-  第一車線の隣接の車線にミリングマシンを移動させる；
t´）-  第一車線と第二車線の接続点においてミリングストリップの端を記録し測定する；
u´）-  第二車線においてミリングマシンの位置を調整する；
v´）-  必要に応じd´）〜s´）の手順の段階を繰り返す。
【００４５】
本発明によるミリングマシンは次のメリットがあります。
-  ミリングストリップ・溝だけではなくより広い路面をミリングできます。-  アクアプレーニングや湿気のある路面での凍結の危険に対して交通安全を大きく上昇します。
-  排水の流れを大きく良化し、路面の有用性を長くします。-  厚すぎる路線区分線あたりで排水の流れをよくします。
-  路面の上層部が新しくて平らであるか古くて凸凹であるかと関係せずアスファルトやコンクリート又は路面作りに使用される建材のどちらでも適応されます。-  一つのミリングストリップではなく、機械を使い同時で自動的に多数のストリップが出来上がることで労力と時間を節約します。
-  オプトエレクトロニック記録システムが設置されていることで 路面の横断勾配や道路沿いの反りを記録できます。この作業によってミリングストリップをつけるべきである場所を発見することが可能です。
-  オプトエレクトロニック記録システムを利用することで、まず第一車線にミリングストリップを削り、その次に第二車線において引き続き正確なストリップをミリングすることができます。その結果として、両方の車線の閉鎖は不必要となります。
-  オプトエレクトロニック記録システムのおかげで本発明によるミリングマシンの操作は夜中も可能です。
-  機械の使用によりミリングの結果は最適です。
-  現場と現場の間に独自の運転による移動は可能です。
-  超幅がないため、移動の際特別許可を必要としません。さらに、本発明によるミリングマシンは超幅ではなくても車線の全体幅を同時にミリングできます。
-  適切な装置が付いていると、本発明によるミリングマシンにおいて安定化・水平調整装置により操作中安定化および水平調整が行われます。
-  本発明によるミリングマシンは下降勾配又は上昇勾配のミリングストリップを行うことが可能です。-  ミリング過程では冷却潤滑剤が使用され、ミリング廃材がサクション装置により直接に撤去されます。
【００４６】
本発明によるミリングマシンにおいては、設計によってさらに役立つ機能を付属請求の内容とします。
【００４７】
さらに、参照番号・符号のリストは公開の一部とします。
【００４８】
そこで図を使用し本発明の詳細を紹介し徹底的に説明します。図の解説では密着した包括的なアプローチを目的とします。以下の図は手本となる模式図で、個々のコンポーネント関係においても正寸されていないものです。特定の参照番号・符号はいずれの場合同じコンポーネントを示しています。インデックスの異なった参照番号・符号は似たようなコンポーネント又は同じ役割を果たすコンポーネントを示しています。
【図面の簡単な説明】
【００４９】
【図１】図１は、狙いとして製造中トラックの形をとった、本発明による手本のミリングマシンの第１の実施形態を模式的に示します。
【図２】図２は、図１で紹介された本発明によるミリングマシン、斜めのトランスバースレールのついた形態の下側を模式的に示します。
【図３】図３は、本発明によるミリングマシンの第２の実施形態で、進行方向に対して縦のトランスバースレールのついた形態の下側を模式的に示します。
【図４】図４は、本発明によるミリングマシンに装備される、本発明による手本の    ミリングヘッドの実施形態を模式的に示します。
【図５】図５は、本発明によるミリングマシンの手本の第３の実施形態で使用となる機械駆動装置を模式的に示します。
【図６】図６は、本発明によるミリングマシンで手本の第４の完全な機械的実施    形態において使用となるドライブハウジングを模式的に示します。
【図７ａ】図７aは、 図６で表示されるドライブハウジングに組み込まれた特定の溝    玉軸受を模式的に示します。
【図７ｂ】図７ｂは、図６で表示されるドライブハウジングに組み込まれた特定のベベルギアを模式的に示します。
【図８】図８は、本発明による手順に応じ、第２車線のミリングを行っている本発明による手本のミリングマシンの第５の実施形態を俯瞰して模式的に示します。
【図９】図９は、本発明により道路沿いの反りを発見する装置付きの、本発明による手本のミリングマシンの第６の実施形態を模式的に示します。
【発明を実施するための形態】
【００５０】
図１は製造中のトラックの形をとった、本発明による手本のミリングマシン１００の第１の実施形態を示しています。乗務員室２、荷重支持車台又ラダーフレーム３そしてKSS冷却潤滑剤用の注入キャップ５付き冷却潤滑剤タンク４を含んでいます。荷重支持車台又ラダーフレーム３は、ミリングヘッド１a〜１ｆ、それぞれにKSS冷却潤滑剤用のスプレイノズル６a〜６ｆとサクションノズル７a〜７ｆ付きのミリングドラム５a〜５ｆが装備されています。
【００５１】
スプレイノズル６a〜６ｆ、そしてここで詳細が挙げられない冷却潤滑剤タンク４への接続線および同じく詳細を省略した制御ユニットは、冷却潤滑ユニット２００の一部です。
【００５２】
それから、サクションノズル７a〜７ｆは掃除・吸引ユニット３００の一部で、この装置にさらに発生したミリング廃材FS用回収容器８が含まれています。回収容器８は、フラップ９と油圧シリンダ１０を操作し空にします。荷重支持車台又ラダーフレーム３の下側１１には、本側面図で支持脚１２のみ観察可能な油圧式支持脚を設置します。こちらの油圧式支持脚１２を路面上FBDに伸ばし、操作中のミリングマシン１００を安定化します。
【００５３】
図２は図１で紹介されたミリングマシン１００の下側１１あるいは荷重支持車台又ラダーフレーム３の下側を示しています。今回は、安定化・水平調整装置４００の部分である他の支持脚１２a〜１２ｃが表示されます。トランスバースレール１３a〜１３f は約４５度の角度Wで装備されています。それぞれに個別にサーボモーター１６a〜１６ｆ付きで並進移動方向１５a〜１５fのキャリアスライド１４a〜１４f が動作できます。
【００５４】
キャリアスライド１４a〜１４ｆは、個別のトランスバースレール１３a〜１３ｆにおいてミリングマシン１００の両側に伸縮できます。キャリアスライドはミリングマシンの幅FMB1以上、理想として車線の最大幅に相当する作業の幅AB1まで伸びることが可能です。
【００５５】
ミリングヘッド１a〜１ｆは、独自のキャリアスライド１４a〜１４fで（ここで詳細が省略されている）サーボモーターによって単一変位駆動方向１７へ操作します。キャリアスライド１４a〜１４ｆとミリングヘッド１a〜１ｆの変位駆動１７による並進移動方向１５a〜１５ｆのベクトル和は、フォワードフィード駆動VB1を起こします。これにより、安定化・水平調整装置４００や支持脚１２、１２a〜１２ｃによって安定化・水平調整された静止型ミリングマシン１００の利用にあたり、ミリングヘッド１a〜１fが４５度の角度でトランスバースレールを通じてフォワードフィード駆動VB1だけで必要とされる斜めの溝・ミリングストリップを起こせると明らかになります。
【００５６】
図３は、本発明によるミリングマシン１００aの第２の実施形態で、荷重支持車台又ラダーフレーム３aの下側１1aを模式的に示しています。この形態において、トランスバースレール１３g〜１３lは、クローリングスピードKGにより進行方向に対して縦に９０度の角度W1で設置されています。それぞれのトランスバースレール１３g〜１３lはキャリアスライド１４g〜１４lがあり、これらはサーボモーター１６g〜１６lによって相当な並進移動方向１５g〜１５lへ移動されます。それでキャリアスライドはミリングマシンの幅FMB２以上、作業の幅AB２まで伸びることが可能です。それに加わり、ミリングヘッド１g〜１lを独自のキャリアスライド１４g〜１４lで単一変位駆動方向１７ｂへ操作することも可能です。
【００５７】
これは、キャリアスライド１４g〜１４lの移動１５g〜１５lとミリングヘッド１g〜１lの変位駆動１７aの任意組み合わせである並進運動TBという結果をもたらしています。要するに、本発明によるミリングマシン１００aを利用する場合、 マシンが希望としてクロールスピードKGで移動しながらミリングを行うことで、並進運動TBとクロールスピードKGのベクトル和であるフォワードフィード駆動VB２をおこす結果につながります。つまり、並進運動TBとクロールスピードKGの同様又は同期化はフォワードフィード駆動VB２を起こし、これは４５度の角度Wによって進行方向に調整されます。ところが、以上の二つの動作（KGとTB）が同様又同期ではなければ、その動作の速力比率から 異なった角度が成り立つものです。これにより、可能な限りあらゆる角度でミリングストリップを刻むようになります。
【００５８】
模式的に示しているミリングヘッド１g〜１lに設置されているミリングドラム２７a〜２７ｆのみ同じ角度W２に調整されています。ところで、ミリングヘッド１g〜１lにはミリングドラム２７a〜２７ｆではなくフェースミリングヘッドが設置されると上記の機能は利用不可能となります。
【００５９】
クロールスピードKGを起動させる前に、希望としてZ型方向へ操作可能な支持脚１８a〜１８ｄなどを含む安定化・水平調整装置４００によってミリングマシン１００aを安定化・水平調整させます。
【００６０】
図４はシリンダー１９を含む、図１〜２によるミリングヘッド１aを示しています。回転駆動RBで軸RAの回りに回転するシリンダーはあらゆるミリング方向へ調整されることができます。シリンダー１９にはKSS冷却潤滑剤用スプレーノズル６aとミリング廃材FS用サクションノズル７aが付いています。 この二つのノズルは図通りミリングドラム２７の両側に設置されていますが、スプレーノズル６aはミリングドラム２７の前面、サクションノズル７aは後面という装備の仕方も可能です。そして全体のミリングヘッド１aはインフィード駆動ZBでZ型方向へ操作できます。
【００６１】
この設計によるミリングヘッドを動かすように（ここで詳細として表示されていない）電気モーター又は油圧ポンプモーターを利用できます。例えば、これがウォーク２０の動作をおこす次第、トルク防止の目的で第１のアクスルシャフト２２に固定されている第１のウォームホイール２１が動作します。シャフト２２はピボット軸受２３aと２３ｂにのせられています。第１のウォームホイール２１は、第２のウォームホイール２４を動作させ、トルクを防ぐ用にピボット軸受２６aと２６ｂにのせられた第２のアクスルシャフト２５に設置されています。トルクを防ぐ用に第２のアクスルシャフト２５に設置されているミリングドラム２７の場合も同様です。ドラムには交換可能な切削インサートの個々の刈り刃２８の列がついています。
【００６２】
図５は本発明によるミリングマシン１００ｂの実施形態における機械的ドライブユニット６００の例を模式的に示しています。補機ドライブシャフト３１aと３１ｂがそれぞれ用のディファレンシャル３０を通じて主駆動軸２９から分岐します。もう一つの仲介ディファレンシャル３０aが補機ドライブシャフト３１aに設置されることで相当する平歯車３２aと３２ｂにおける回転の同期化は確保されます。連続ハブ３４が付いているこの二つの平歯車３２aと３２ｂはドライブシャフト３３を動かします。ハブ３４と可能な限りもう一つの正反対に置かれたハブはドライブ回転ARで操作し、（図５で詳細が表示されていない）ドラ
イブハウジング３５内ベベルギアを使用し相当するミリング回転FRでミリングヘッド１mを動かします。この場合のミリングヘッドはフェースミリングヘッド式で、周囲の外側に交換可能な切削インサートの個々の刈り刃２８aが付いていると望ましい。
【００６３】
ここで単に記載されているサーボモーター３６aはドライブハウジング３５内に装備されていて、ミリングヘッド１mのインフィード駆動ZB１を提供します。同じく単に記載されているものは、ドライブシャフト３３で変位駆動１７ｂをおこすサーボモーター３６ｂです。この場合は変位駆動１７ｂはフォワードフィード駆動VB３に相当します。
【００６４】
図６は、本発明によるミリングマシン１００ｃの実施形態機において機械的な機能のみのドライブハウジング３５aを示しています。ハウジングウォール３７とマウンチングリング３８の間に第一ベベルギア輪３９aが装備されています。そのベアリングは球体リング４０aと４０ｂのおかげで円形溝４１aと４１ｂを作り自由に回転できます。さらに第一ベベルギア輪３９aトルク防止ですが、ハブ３４a付きのドライブシャフト３３aにのせられていて軸方向に変位可能とする構造を持っています。
【００６５】
ドライブシャフト３３aは、以下の図で詳細を述べる特定の玉軸受４２aと４２ｂにのせられています。いずれの場合、ドライブシャフト３３aは軸方向に変位可能であると同時に、こちらの特定の玉軸受４２aと４２ｂはラジアル方向を可能とします。それで、本発明の設計をもとに、ドライブハウジング３５aが変位駆動方向１７ｃへの可動性を保ちながら、ミリングヘッドを回転FR１させるためにドライブシャフト３３aからドライブ回転AR1を引っ張ることは確保されます。
【００６６】
第一ベベルギア輪３９aは、トルク防止のためミリングヘッドシャフト４３にのせられた第二ベベルギア輪３９ｂを動かします。後者はダブル深溝玉軸受５３aと５３ｂを有し、回動軸RA1の回りに回転します。それに加わり、トルク防止としてのせられたミリングヘッドシャフト４３は、ハウジング後面にある開き口４５によって歯ギア４６を動かす前歯車４４がついています。前歯車４４とギアラック４６はラックとピニオンギア７００のコンポーネントです。ここで表記されている純粋の機械的ドライブユニット６００aでは、ドライブシャフト３３aのドライブ回転AR1はミリング回転FR１と同時に同期のフォワードフィード駆動VB４をおこします。
【００６７】
さらに、図６ではミリングヘッド１nに交換可能な切削インサートの個々の刈り刃２８ｂが設置されていて、駆動リストリクター４７がドライブ回転AR1を止めることで変位駆動１７ｃを制限する様子を観察できます。 駆動リストリクター４７は希望として位置センサーと回転監視システム８００のコンポーネントです。
【００６８】
図７は図６で紹介された特定の玉軸受４２aを断面図として示しています。ボール５０は外リング５４の外チャンネル５２沿い又は外リング５５の外チャンネル５１沿いに動作します。後者内に正反対に置かれた溝４８aと４８ｂがあります。それぞれには、図６による内側ドライブシャフト３３aのドライブ回転AR1をラジアルに伝達する独自の玉軸受４９aと４９ｂ又はテフロン軸受が付いています。そこでこれらは、軸方向において、即ち図面（drawing layer）で縦に変位可能なものです。その目的として図６のハブ３４aは玉軸受４９aと４９ｂに相当する縦の溝が付けられます。
【００６９】
図７ｂのベベル輪３９aは類推によって同じ場合となりますが、内溝４８ｃと４８ｄは玉軸受４９ｃと４９ｄに対してアキシャル式ではなくラジアル式にあわせられています。
【００７０】
図８は、作業の現場EOで道路FBと第一車線FSt１と第二車線FSt２を含む高速道路Aでのミリングマシン１００ｄを模式的に示します。FSt１と FSt２の車線 は車線区分線FBM１〜FBM３によって区分されています。第一車線FSt１はすでに進行方向FDを斜めにミリングストリップ５６a〜５６ｆが行われています。
【００７１】
図３のミリングマシンと同じように、ミリングマシン１００ｄは、進行方向FDに対して縦にミリングヘッド１o〜１tのキャリアスライド１４m〜１４ｒが付いています。ミリングマシンは第二車線FSt２にあり、それぞれが最大幅AB３まで拡張したもので、左側の三つのミリングヘッド１o〜１ｑ、右側のミリングヘッド１r〜１tを釣り合いながら以前作られたミリングストリップ５６a〜５６ｆに近づいています。
【００７２】
オプトエレクトロニック記録システム５００によってミリングストリップ５６d〜５６ｆの端５７a〜５７ｃと車線FStMの中心を記録し測定するだけでミリングヘッド１r〜１tはミリングストリップ５６d〜５６ｆにつなげて操作を行い、車線区分線FMB２とFMB３において精密ミリングを行います。反対方向から作られた、ミリングヘッド１o〜１ｑによるミリングストリップは、ミリングストリップ５６a〜５６ｆを行ったミリングマシンが同じ種類で同じく設定された状況であればストリップ５７a〜５７ｃに自動的に合わされます。
【００７３】
図９は、例として白色のマルチバンMVが先に走行し付き添っている状態の、オプトエレクトロニック記録システム５００a付きミリングマシン１００eを模式的に示します。マシンはコンピューター支援により高速道路A１沿いに発生した凹みSとともに最低点TPおよび横断勾配QNを測定し記録することができ、新しい作業現場EO1を設定します。
【符号の説明】
【００７４】
１a〜１t                ミリングヘッド
２                      乗務員室
３、３a                 荷重支持車台又ラダーフレーム
４                      冷却潤滑剤用タンク
５                      注入用キャップ
６a〜６f                スプレーノズル
７a〜７f                サクションノズル
８                      ミリング廃材用容器
９                      フラップドア
１０                    油圧式シリンダー
１１、１１a             ３の下側
１２、１２a〜１２c            油圧式支持脚
１３a〜１３l                  トランスバースレール
１４a〜１４r                  キャリアスライド
１５a〜１５l                  並進運動、１４による並進の変位駆動方向
１６a〜１６l                  サーボモーター
１７、１７a〜１７c            １の変位駆動
１８a〜１８d                  支持輪
１９                    シリンダー
２０                    ウォーム
２１                    第１のウォームホイール
２２                    第１のアクスルシャフト
２３a、２３b                  ピボット軸受
２４                    第２のウォームホイール
２５                    第２のアクスルシャフト
２６a、２６b                  ピボット軸受
２７、２７a〜２７f            ミリングドラム
２８、２８a、２８b            個々の刃
２９                    主駆動軸
３０、３０a                    ディファレンシャル
３１a、３１b                  補機ドライブシャフト
３２a、３２b                  平歯車
３３、３３a             ドライブシャフト
３４、３４a             ハブ
３５、３５a             ドライブハウジング
３６a、３６b                  サーボモーター
３７                    ハウジングウォール
３８                    マウンチングリング
３９a、３９b                  ベベルギア輪
４０a、４０b                  球体リング
４１a、４１b                  円形溝
４２a、４２b                  特定の玉軸受
４３                    ミリングヘッドシャフト
４４                    前歯車
４５                    ハウジング空き口
４６                    ギアラック
４７                    駆動リストリクター
４８a〜４８d                  内溝
４９a〜４９d                  玉軸受、テフロン軸受
５０                    ボール
５１                    内チャンネル
５２                    外チャンネル
５３a、５３b                  ダブル深溝玉軸受
５４                    内リング
５５                    外リング
５６a〜５６f                  ミリングストリップ
５７a〜５７c                  ミリングストリップの端
１００、１００a〜１００e      ミリングマシン
２００                         冷却・潤滑ユニット
３００                         掃除・吸引ユニット
４００、４００a         安定化・水平調整ユニット
５００、５００a         オプトエレクトロニック記録システム
６００、６００a         機械的ドライブユニット
７００                         ラックとピニオンギア
８００                         位置センサーと回転監視システム
A、A１                         高速道路
AB１〜AB３              作業幅
AR、AR１                ドライブ回転
EO、 EO1                作業現場
FB                      道路
FBM１〜FBM３                       車線区分線
FBD                     路面の上層
FD                      進行方向
FMB1〜FMB２                  ミリングマシンの幅
FR、FR1                        ミリング回転
FS                      ミリング廃材
FSt１、 FSt２                 車線
FStM                    車線中心
KG                      クロールスピード
KSS                     冷却潤滑剤
MV                      マルチバン
QN                      横断勾配、傾き
RA、RA１                回動軸
RB                      回転駆動
S                       凹み
TB                      並進運動
TP                      最低点
VB１〜VB４              フォワードフィード駆動 
W、W１、W２             角度
ZB、ZB１                インフィード駆動
【図１】
2020023878.tif 000003
【図２】
2020023878.tif 000004
【図３】
2020023878.tif 000005
【図４】
2020023878.tif 000006
【図５】
2020023878.tif 000007
【図６】
2020023878.tif 000008
【図７ａ】
2020023878.tif 000009
【図７ｂ】
2020023878.tif 000010
【図８】
2020023878.tif 000011
【図９】
2020023878.tif 000012